(57)【要約】【課題】本発明は、手間を要することなく、傾き調節作業を簡単に行なうことができる簡易便器を提供することを課題とする。【解決手段】便器本体枠５の上面に座枠６を取り付け、該座枠６内に便バケツを挿入懸架し、該座枠６上には便座を載置した簡易便器１であって、該座枠６の前端部を該便器本体枠５に軸着し、該座枠６の前端部の軸着部を回動中心として該座枠６を水平状態から前傾状態まで回動可能にし、該便器本体枠５の背板４の上縁部には横倒し状態から起立状態まで回動可能な回動ブロック１８を取り付け、該座枠６の前傾状態において該回動ブロック１８を起立させて該座枠６の後端を支持する簡易便器１を提供する。【選択図】    図５
2006087485.tif 000002
【特許請求の範囲】
【請求項１】
便器本体枠の上面に座枠を取り付け、該座枠内に便バケツを挿入懸架し、該座枠上には便座を載置した簡易便器であって、
該座枠の前端部を該便器本体枠に軸着し、該座枠の前端部の軸着部を回動中心として該座枠を水平状態から前傾状態まで回動可能にし、該便器本体枠の背板の上縁部には横倒し状態から起立状態まで回動可能な回動ブロックを取り付け、該座枠の前傾状態において該回動ブロックを起立させて該座枠の後端を支持することを特徴とする簡易便器。
【発明の詳細な説明】
【技術分野】
【０００１】
本発明は、主として高齢者や体の不自由な人が室内で使用する簡易便器に関する。
【背景技術】
【０００２】
一般に、高齢者や体の不自由な人などが簡易便器を使用する場合には、前傾姿勢をとるほうが排便しやすいとされている。そこで、従来、使用者が容易に前傾姿勢をとることができるように、座部の傾きを調節することができる可搬便器が提供されている（特許文献１参照）。
【０００３】
【特許文献１】特開２００３−１３５３０８号公報（第２−３頁、第２図）
【発明の開示】
【発明が解決しようとする課題】
【０００４】
しかしながら上記従来の構成では、座部の傾きを調節する場合に、雄螺子を雌螺子孔から一旦外して、別の雌螺子孔に再び螺合する必要があるため、傾き調節作業に手間がかかるという問題があった。
また上記従来の構成では、座部の傾きを調節する場合に、雌螺子孔を外部から目視することができないため、雄螺子を螺合する際に手探りで雌螺子孔を探さなければならず、傾き調節作業を簡単に行なうことができないという問題があった。
【課題を解決するための手段】
【０００５】
本発明は上記従来の課題を解決するための手段として、便器本体枠５の上面に座枠６を取り付け、該座枠６内に便バケツ７を挿入懸架し、該座枠６上には便座８を載置した簡易便器１であって、該座枠６の前端部を該便器本体枠５に軸着し、該座枠６の前端部の軸着部１３を回動中心として該座枠６を水平状態から前傾状態まで回動可能にし、該便器本体枠５の背板４の上縁部には横倒し状態から起立状態まで回動可能な回動ブロック１８を取り付け、該座枠６の前傾状態において該回動ブロック１８を起立させて該座枠６の後端を支持する簡易便器１を提供するものである。
【発明の効果】
【０００６】
本発明の簡易便器１では、座枠６の前端部の軸着部１３を回動中心として該座枠６を水平状態から前傾状態に回動させるとともに、回動ブロック１８を横倒し状態から起立状態まで回動させて、該起立させた回動ブロック１８で該座枠６の後端を支持することができ、したがって、該座枠６の傾き調節作業に手間を要することがなく、該座枠６の傾き調節作業を簡単に行なうことができる。
【発明を実施するための最良の形態】
【０００７】
本発明を図１〜図８に示す一実施例によって説明する。
図１および図２に示すように、本実施例の簡易便器１は、前板２と左右側板３と背板４とからなる木製の便器本体枠５と、該便器本体枠５の上面に取り付けられる木製の座枠６と、該座枠６内に挿入懸架される便バケツ７と、該座枠６の後端部に跳ね上げ可能に枢着される便座８と、該便座８上において該便器本体枠５の後部上端に跳ね上げ可能に枢着される便蓋９と、該便器本体枠５の左右側板３に取り付けられる左右一対の肘掛け枠１０と、該便器本体枠５の左右側板３の後端上部から立設される背もたれ枠１１と、該便器本体枠５の左右側板３の下部に取り付けられる左右一対の脚枠１２とからなる。
【０００８】
該座枠６の左右側面の前端部には軸着部である軸着ピン１３が外側に向けてそれぞれ凸設されており、該座枠６は該軸着ピン１３を介して該便器本体枠５の左右側枠の前端部に軸着されている。そして、該座枠６は該軸着ピン１３を回動中心として、図２〜図４に示す水平状態から図５〜図７に示す前傾状態まで回動可能とされている。
また、該座枠６の左右中央部にはボルト挿通孔１４が設けられており、一方、該便器本体枠５の左右側板３の上部左右中央部には、該座部が水平状態のときに固定ボルト１５が螺着される下側ボルト孔１６と、該座部が前傾状態のときに該固定ボルト１５が螺着される上側ボルト孔１７が設けられている。
【０００９】
該便器本体枠５の背板４の上縁部には、左右一対の回動ブロック１８が取り付けられており、図８に示すように、該回動ブロック１８は支持部１９と取付け部２０とからなる断面Ｌ字状とされている。該回動ブロック１８の取付け部２０の中央部には、長手方向に沿って摺動スリット２１が設けられており、該摺動スリット２１を介して固定ボルト２２を該便器本体枠５の背板４のボルト孔（図示せず）に螺着することによって、該回動ブロック１８は、横倒し状態から起立状態まで回動可能、かつ、長手方向に摺動可能とされている。そして、該回動ブロック１８を横倒し状態とした場合には、該回動ブロック１８の支持部１９は便器本体枠５の背板４の上部の凹部２３に収納される。
【００１０】
該便蓋９は前後に二つ折り可能とされており、該便蓋９を跳ね上げた状態で該背もたれ枠１１の下部を通り抜けて折畳み可能とされている。また、該便蓋９の上面にはクッション部材２４が取り付けられており、該便蓋９は座部として兼用することができるようにされている。
【００１１】
該肘掛け枠１０は、前後一対の肘掛け支板２５が垂設されている下側短肘掛け２６と、該下側短肘掛け２６の上に跳ね上げ可能に取り付けられる上側長肘掛け２７とからなる。該前後一対の肘掛け支板２５の中央部には摺動スリット２８がそれぞれ設けられており、該肘掛け枠１０を該便器本体枠５に対して上下に摺動させて所望な高さに調節した後、該摺動スリット２８を介して固定ボルト２９を該便器本体枠５の左右側板３のボルト孔（図示せず）に螺着することによって、該肘掛け枠１０は高さ調節可能とされている。
【００１２】
該背もたれ枠１１は、左右一対の背もたれ支柱３０と、該左右一対の背もたれ支柱３０の間に差し渡されるクッション性を有する背もたれ部材３１とからなる。該背もたれ支柱３０の上部には２個のボルト挿通孔３２が縦列して設けられており、該背もたれ部材３１の左右側面には４個のボルト孔３３が縦列して設けられている。そして、該背もたれ部材３１の４個のボルト孔３３のうち２個のボルト孔３３を選択し、該背もたれ部材３１を該背もたれ支柱３０に対して所望な高さに調節した後、該背もたれ支柱３０のボルト挿通孔３２を介して固定ボルト３４を該選択したボルト孔３３に螺着することによって、該背もたれ部材３１は高さ調節可能とされている。
【００１３】
該脚枠１２は、後端部に移動用キャスター３５が取り付けられている底板３６と、該底板３６から立設されている前後一対の脚板３７とからなる。該前後一対の脚板３７の中央部には摺動スリット３８が設けられており、該脚枠１２を該便器本体枠５に対して上下に摺動させて所望な高さに調節した後、該摺動スリット３８を介して固定ボルト３９を該便器本体枠５の左右側板３のボルト孔（図示せず）に螺着することによって、該便器本体枠５は高さ調節可能とされている。
【００１４】
上記の簡易便器１を図２〜図４に示すような座枠水平状態で使用する場合には、座枠６の後端部の下面を便器本体枠５の背板４の上面で支持せしめる。このとき、回動ブロック１８は横倒し状態とされており、該回動ブロック１８の支持部１９は便器本体枠５の背板４の凹部２３に収納されている。また、水平状態とされた座枠６は、便器本体枠５の左右側板３の下側ボルト孔１６に固定ボルト１５を螺着することによって、安定に固定されている。
【００１５】
上記の簡易便器１を図５〜図７に示すような座枠前傾状態で使用する場合には、座枠６の前端部の軸着ピン１３を回動中心として該座枠６を水平状態から前傾状態に回動させるとともに、回動ブロック１８を横倒し状態から起立状態まで回動させて、該起立させた回動ブロック１８の支持部１９の上面で該座枠６の後端を支持せしめる。その後、便器本体枠５の左右側板３の上側ボルト孔１７に固定ボルト１５を螺着することによって、前傾状態とした座枠６を安定に固定する。
【００１６】
なお、図８（ａ）に示すように起立状態とされた回動ブロック１８を再び横倒し状態とする場合には、図８（ｂ）に示すように該回動ブロック１８を上方に摺動させた後、図８（ｃ）に示すように該回動ブロック１８を横方向に回動させる。
【００１７】
上記の簡易便器１では、座枠６の前端部の軸着ピン１３を回動中心として該座枠６を水平状態から前傾状態に回動させるとともに、回動ブロック１８を横倒し状態から起立状態まで回動させて、該起立させた回動ブロック１８で該座枠６の後端を支持することができ、したがって、該座枠６の傾き調節作業に手間を要することがなく、該座枠６の傾き調節作業を簡単に行なうことができる。
【００１８】
以上、本発明の実施の形態を実施例により説明したが、本発明の範囲はこれらに限定されるものではなく、請求項に記載された範囲内において目的に応じて変更・変形することが可能である。
【産業上の利用可能性】
【００１９】
本発明は、手間を要することなく、傾き調節作業を簡単に行なうことができる簡易便器として、産業上利用することが出来る。
【図面の簡単な説明】
【００２０】
【図１】簡易便器の斜視図である。
【図２】簡易便器（座枠水平状態）の後側斜視図である。
【図３】簡易便器（座枠水平状態）の背面図である。
【図４】簡易便器（座枠水平状態）の説明側断面図である。
【図５】簡易便器（座枠前傾状態）の後側斜視図である。
【図６】簡易便器（座枠前傾状態）の背面図である。
【図７】簡易便器（座枠前傾状態）の説明側断面図である。
【図８】回動ブロックを回動させる様子を示す斜視図である。
【符号の説明】
【００２１】
１  簡易便器
４  背板
５  便器本体枠
６  座枠
７  便バケツ
８  便座
１３  軸着部（軸着ピン）
１８  回動ブロック
【図１】
2006087485.tif 000003
【図２】
2006087485.tif 000004
【図３】
2006087485.tif 000005
【図４】
2006087485.tif 000006
【図５】
2006087485.tif 000007
【図６】
2006087485.tif 000008
【図７】
2006087485.tif 000009
【図８】
2006087485.tif 000010